(57)【要約】【課題】  この発明は、網戸の隙間等の害虫が侵入しやすい、あるいは侵入を可能とする部位に集中的に適宜取付けられ、また防虫効果を持続させるため交換等による着脱が可能であり、網戸の通風を妨げず、かつ、仕切戸の走行に支障のない網戸用防虫剤シートを提供するものである。【解決手段】  この発明に係る網戸用防虫剤シートは、適宜幅と長さを有する薄いシート状本体２に害虫の侵入を防除する防虫剤層３を設け、その裏面には面ファスナー等の接着面４を形成してなる防虫剤シート１を、網戸５の網面６の適宜位置に着脱可能に取付けてなるものである。【選択図】      図２
2005180148.tif 000002
【特許請求の範囲】
【請求項１】
シート状本体に害虫の侵入を防除する防虫剤層を設け、その裏面に設けた接着面を介して網面の適宜位置に着脱可能に取付けてなる防虫剤付き網戸。
【請求項２】
前記防虫剤層をシート状本体に形成された袋状の収納部に交換可能に封入してなる請求項１記載の防虫剤付き網戸。
【請求項３】
前記防虫剤層がシート状本体の表面に塗布または含浸してなる請求項１記載の防虫剤付き網戸。
【請求項４】
前記防虫剤層をシート状本体の表面に張着してなる請求項１記載の防虫剤付き網戸。
【請求項５】
前記防虫剤層を設けたシート状本体をエンドレレスなテープ状とする請求項１ないし４のいずれかに記載の防虫剤付き網戸。
【発明の詳細な説明】
【技術分野】
【０００１】  本発明は、網戸を形成する網面の任意の位置に適宜取付けられて虫等が室内へ侵入するのを防止する網戸用防虫剤シートに関する。
【背景技術】
【０００２】  従来から夏の熱い間居間や台所のガラス戸等の仕切戸を開放して網戸により涼風を室内に入れることが広く行われている。しかし、昼間ばかりでなく夜間になると室内の明かり等に誘引された害虫が網戸の隙間から侵入して、居住者に不快感や清潔感を感じさせることがしばしば見られた。このため、網戸からの害虫侵入防止を向上させるため種々のものが提案されている。【０００３】  その一例として、害虫防除成分を有する展着剤を、スプレー装置を用いて網面に展着させることが行われている（例えば、特許文献１参照）。
さらに、展着剤をスプレー照射する以外、防虫剤を網面に塗布したものがみられる（例えば、特許文献２参照）。【０００４】
【特許文献１】特開２００１−１３９４０２号公報
【特許文献２】実開昭６０−１５７８９７号公報
【発明の開示】
【発明が解決しようとする課題】
【０００５】  上述した従来の防虫剤を展着または塗布した網戸は、通常その網面全体に行われている場合が多い。しかしながら害虫等が網戸を通して室内に侵入する場合、その大部分は並設されている仕切戸との間あるいは網戸枠の変形による支持枠との間に生ずる隙間からである。したがって、網戸の全面に防虫剤を施してもその効果を発揮するのは限られた部位に過ぎない。むしろ、防虫剤を液状として網面の全面に展着あるいは塗布するため、網面に風を通して運ばれる塵埃が付着しやく汚れを増長する原因となっている。【０００６】  本発明の目的は、網戸の隙間等の害虫が侵入しやすい、あるいは侵入を可能とする部位に集中的に適宜取付けられ、また防虫効果を持続させるため交換等による着脱が可能であり、網戸の通風を妨げず、かつ、仕切戸の走行に支障のない網戸用防虫剤シートを提供するものである。
【課題を解決するための手段】
【０００７】  上記目的を達成するため、本発明に係る網戸用防虫剤シートは、シート状本体の表面に害虫の侵入を防除する防虫剤層を設け、その裏面に設けた接着面を介して網面の適宜位置に着脱可能に取付けてなることを特徴とするものである。【０００８】  さらに、前記防虫剤層は、シート状本体に形成された袋状の収納部に封入してなることを特徴とするものである。【０００９】  さらに、前記防虫剤層は、シート状本体の表面に塗布または含浸してなることを特徴とするものである。【００１０】  さらに、前記防虫剤層は、保形性を有して形成されてシート状本体を取付面としてその表面に張着してなることを特徴とするものである。【００１１】  さらに、防虫剤層を設けたシート状本体は、エンドレレスなテープ状として網面の長さ方向の全長または適宜の長さに切断して取付けられることを特徴とするものである。
【発明の効果】
【００１２】  上記の構成を有することにより、本発明に網戸用防虫剤シートは、シート状本体の表面に防虫剤層を設け、その裏面に設けた接着面を介して網面の適宜位置に着脱可能に取付けて、隙間等の網戸のから害虫が侵入しやすい部位に局部的に集中して取付けることにより、効果的にその侵入を防除することができるとともに網戸の通風を妨げず、同時に仕切戸の開閉に支障がなく、また、防虫剤による網戸の汚れを防止することができるものである。【００１３】  さらに、シート状本体が着脱可能であるため、防虫剤の効果が切れたとき、あるいは必要に応じて取替えを容易に行うことができ、また冬季間等網戸の利用が不必要のときは取り除くことができるものである。【００１４】  さらに、防虫剤層はシート状本体１の表面に形成された袋状の収納部に封入することにより、防虫剤に直接手を触れたりすることがなく、さらに安全性を保ち、かつ汚染を防ぐことができるものである。【００１５】  さらに、防虫剤層はシート状本体の表面に塗布または含浸してなることにより、その厚さをさらに薄くすることにより、一層仕切戸との接触による走行不良あるいは剥離等の不具合を防ぐことができるものである。【００１６】  さらに、防虫剤層は保形性のあるものを用いて、シート状本体を取付面としてその表面に張着してなることにより、その取替えを容易にすることができるものである。【００１７】  さらに、防虫剤層を設けたシート状本体は、エンドレレスなテープ状に形成することにより、網面の長さ方向のほぼ全長にわたって、あるいは適宜長さに切断して、その状況に応じたもの選択して取付けることができるものである。
【発明を実施するための最良の手段】
【００１８】  図１は、本発明に係る網戸用防虫剤シートの取付け状態を示す正面図であり、図２は、同じく防虫剤シートを示す拡大断面図である。
【００１９】  この網戸用防虫剤シートは、図１および図２に示すように、適宜幅と長さを有する薄いシート状本体２の表面に害虫の侵入を防除する防虫剤層３を設け、その裏面には面ファスナー等の接着面４を形成してなる防虫剤シート１を、網戸５の網面６の適宜位置に着脱可能に取付けてなるものである。
【００２０】  この防虫剤シート１は、図２に示すように、薄く柔軟性をもち、かつ保形性を有するシート状本体２の表面に設けられた袋状の収納部７に粉状、液状または粘性状の防虫剤を封入して防虫剤層３を形成されるものであるが、これに限らず、シート状本体２の表面に防虫剤を塗布または含浸してなるもの（図３）、また防虫剤層３を保形性をもった板状に形成してシート状本体２の表面を取付面として張着してなるもの等が用いられる（図４）。
【００２１】  この防虫剤シート１は、その裏面側の接着面４を網戸５の網面６の適宜位置に接着して取付けられるものであるが、面ファスナーを用いて網面６の網糸に絡めて引掛けたり、接着剤を塗布しておき離形紙を剥して網面６に貼着してもよいが、網面６の適宜位置に容易に取付けられ、また、網面６に取付けた後、一定期間経ったら容易に除去できるように、防虫剤シート１が網戸５に対して着脱自在に取付けられるものである。
【００２２】  さらに、防虫剤シート１が取付けられる個所は、網戸５と並設されるガラス戸等の仕切戸８やサッシ枠９との隙間付近に集中して取付けられることが好ましいが、その周囲の状況等を考慮して中央付近にも取付けて夜間の遮蔽効果をもたらすように取付けることは可能である。また、網戸５とともに仕切戸８の縁枠やサッシ枠９にも取付けて併用することができるものである。
【００２３】  また、防虫剤シート１は、図示の如くチップ状の大きさとして網戸５の網面６に適宜間隔を有して取付ける以外、テープ状にしてエンドレスに形成して網戸５の長さ方向のほぼ全長にわたって、あるいは適宜長さに切断してその長さを選択して取付けるものであってもよい。
【００２４】  また、防虫剤シート１は、網戸５の屋内側の網面６に取付けられるが、屋外側の網面６であってもよく、また、いずれか一方の網面６とする以外網面６の両面に取付けられるものであってもよい
【図面の簡単な説明】
【００２５】
【図１】  本発明に係る網戸用防虫剤シートの取付け状態を示す正面図である。
【図２】  防虫剤シートを示す拡大断面図である。
【図３】  同じく防虫剤シートの他の例を示す拡大断面図である。
【図４】  同じく防虫剤シートのさらに他の例を示す拡大断面図である。
【符号の説明】
【００２６】  １      防虫剤シート
２      シート状本体
３      防虫剤層
４      接着面
５      網戸
６      網面
７      収納部
８      ガラス戸
９      サッシ枠
【図１】
2005180148.tif 000003
【図２】
2005180148.tif 000004
【図３】
2005180148.tif 000005
【図４】
2005180148.tif 000006